【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】データ通信装置、印刷装置及び制御方法


【手続補正２】
【補正対象書類名】明細書
【補正対象項目名】特許請求の範囲
【補正方法】変更
【補正の内容】
【特許請求の範囲】
【請求項１】
第１及び第２の通信手段とを有し、
前記第１の通信手段を介して外部機器の状態を判定し、前記外部機器の状態に応じて前記第２の通信手段の状態を制御することを特徴とするデータ通信装置。
【請求項２】
前記外部機器の電源がオフである状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項１に記載のデータ通信装置。
【請求項３】
前記外部機器が画像の撮影が可能な状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項１又は２に記載のデータ通信装置。
【請求項４】
前記第１の通信手段は無線でデータを受信する通信手段であり、前記第２の通信手段はシリアルバスを介してデータを送信する通信手段であることを特徴とする請求項１〜３のいずれかに記載のデータ通信装置。
【請求項５】
第１及び第２の通信手段とを有し、前記第１の通信手段で受信された画像データを印刷する印刷装置であって、
前記第１の通信手段を介して外部機器の状態を判定し、前記外部機器の状態に応じて前記第２の通信手段の状態を制御することを特徴とする印刷装置。
【請求項６】
前記外部機器の電源がオフである状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項５に記載の印刷装置。
【請求項７】
前記外部機器が画像の撮影が可能な状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項５又は６に記載の印刷装置。
【請求項８】
前記第１の通信手段は無線でデータを受信する通信手段であり、前記第２の通信手段はシリアルバスを介してデータを送信する通信手段であることを特徴とする請求項５〜７のいずれかに記載の印刷装置。
【請求項９】
第１及び第２の通信手段とを有するデータ通信装置を制御する制御方法であって、
前記第１の通信手段を介して外部機器の状態を判定し、前記外部機器の状態に応じて前記第２の通信手段の状態を制御することを特徴とする制御方法。
【請求項１０】
前記外部機器の電源がオフである状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項９に記載の制御方法。
【請求項１１】
前記外部機器が画像の撮影が可能な状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項９又は１０に記載の制御方法。
【請求項１２】
前記第１の通信手段は無線でデータを受信する通信手段であり、前記第２の通信手段はシリアルバスを介してデータを送信する通信手段であることを特徴とする請求項９〜１１のいずれかに記載の制御方法。
【請求項１３】
第１及び第２の通信手段とを有し、前記第１の通信手段で受信された画像データを印刷する印刷装置を制御する制御方法であって、
前記第１の通信手段を介して外部機器の状態を判定し、前記外部機器の状態に応じて前記第２の通信手段の状態を制御することを特徴とする制御方法。
【請求項１４】
前記外部機器の電源がオフである状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項１３に記載の制御方法。
【請求項１５】
前記外部機器が画像の撮影が可能な状態のときは前記第２の通信手段を通信が可能な状態に設定し、前記データ通信装置に印刷させる画像データを前記データ通信装置に送信できる状態のときは前記第２の通信手段を通信が可能でない状態に設定することを特徴とする請求項１３又は１４に記載の制御方法。
【請求項１６】
前記第１の通信手段は無線でデータを受信する通信手段であり、前記第２の通信手段はシリアルバスを介してデータを送信する通信手段であることを特徴とする請求項１３〜１５のいずれかに記載の制御方法。
【手続補正３】
【補正対象書類名】明細書
【補正対象項目名】０００１
【補正方法】変更
【補正の内容】
【０００１】
【発明の属する技術分野】
本発明は、複数の通信手段を有するデータ通信装置等に関するものである。


【手続補正４】
【補正対象書類名】明細書
【補正対象項目名】０００９
【補正方法】変更
【補正の内容】
【０００９】
そこで、本発明は、第１の通信手段（ＩｒＤＡ方式等）を介して判定された外部機器（デジタルカメラ、カメラ一体型デジタルＶＴＲ等）の状態に応じて第２の通信手段（ＩＥＥＥ１３９４シリアルバス等）の状態を制御することができるデータ通信装置、印刷装置及び制御方法を提供することを目的とする。


【手続補正５】
【補正対象書類名】明細書
【補正対象項目名】００１０
【補正方法】変更
【補正の内容】
【００１０】
【課題を解決するための手段】
本発明のデータ通信装置は、第１及び第２の通信手段とを有し、前記第１の通信手段を介して外部機器の状態を判定し、前記外部機器の状態に応じて前記第２の通信手段の状態を制御することを特徴とする。
本発明の印刷装置は、第１及び第２の通信手段とを有し、前記第１の通信手段で受信された画像データを印刷する印刷装置であって、前記第１の通信手段を介して外部機器の状態を判定し、前記外部機器の状態に応じて前記第２の通信手段の状態を制御することを特徴とする。
本発明の制御方法の一つは、第１及び第２の通信手段とを有するデータ通信装置を制御する制御方法であって、前記第１の通信手段を介して外部機器の状態を判定し、前記外部機器の状態に応じて前記第２の通信手段の状態を制御することを特徴とする。
本発明の制御方法の一つは、第１及び第２の通信手段とを有し、前記第１の通信手段で受信された画像データを印刷する印刷装置を制御する制御方法であって、前記第１の通信手段を介して外部機器の状態を判定し、前記外部機器の状態に応じて前記第２の通信手段の状態を制御することを特徴とする制御方法。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００６６
【補正方法】変更
【補正の内容】
【００６６】
【発明の効果】
以上説明したように本発明によれば、第１の通信手段（ＩｒＤＡ方式等）を介して判定された外部機器（デジタルカメラ、カメラ一体型デジタルＶＴＲ等）の状態に応じて第２の通信手段（ＩＥＥＥ１３９４シリアルバス等）の状態を制御することができる。


【手続補正１０】
【補正対象書類名】明細書
【補正対象項目名】００６７
【補正方法】削除
【補正の内容】